(57)【要約】【課題】細長いプリント配線板の短手方向に沿ってインバータ部の各スイッチング素子を並置する配置構造でも、さらに小型にする。【解決手段】整流部１と、平滑コンデンサＣ１を含み整流部１から脈流電圧を受けて直流電力を供給する直流電源部２と、スイッチング素子Ｑ２，Ｑ３を含み直流電力を高周波電力に変換するためのインバータ部３と、スイッチング素子Ｑ２，Ｑ３をスイッチング制御するインバータ制御部４２と、インバータ部３と放電灯ＦＬとの間に介設される出力部５と、保護回路部６と、チョッパ制御部４１とをプリント配線板１００Ａに搭載した。スイッチング素子Ｑ２，Ｑ３は、プリント配線板１００Ａの短手方向に沿って互いに隣り合い、スイッチング素子Ｑ２のリードが長手方向に対して平行となり、スイッチング素子Ｑ３のリードが長手方向に対して垂直となってスイッチング素子Ｑ２のリードの側を向く状態で、実装される。【選択図】　図１
2004022311.tif 000002
【特許請求の範囲】
【請求項１】
整流器を含み商用電源を全波整流する整流部と、平滑コンデンサを含み前記整流部から脈流電圧を受けて直流電力を供給する直流電源部と、直列に接続された第１および第２のスイッチング素子を含み前記直流電源部から供給される直流電力を高周波電力に変換するためのインバータ部と、少なくとも前記第１および第２のスイッチング素子をスイッチング制御する制御部と、前記インバータ部と負荷との間に介設される出力部とを細長いプリント配線板に搭載し、前記出力部からの配線が前記プリント配線板の長手方向の一端から得られる放電灯点灯装置であって、
前記第１および第２のスイッチング素子は、前記プリント配線板の短手方向に沿って互いに隣り合い、第１のスイッチング素子のリードが前記プリント配線板の長手方向に対して平行となり、そして前記第２のスイッチング素子のリードが前記プリント配線板の長手方向に対して垂直となって前記第１のスイッチング素子のリードの側を向く状態で、前記プリント配線板に実装されている
ことを特徴とする放電灯点灯装置。
【請求項２】
前記第１のスイッチング素子は、前記インバータ部の高圧側のスイッチング素子であり、前記第２のスイッチング素子は、前記インバータ部の低圧側のスイッチング素子であることを特徴とする請求項１記載の放電灯点灯装置。
【請求項３】
前記プリント配線板の長手方向における両端間には、一端から一端にかけて、前記整流部、前記直流電源部、前記制御部、前記インバータ部および前記出力部の順番にこれら各部が配置されていることを特徴とする請求項１または２記載の放電灯点灯装置。
【請求項４】
前記直流電源部は、直列に接続されたインダクタおよびスイッチング素子と、逆流阻止用のダイオードとをさらに含み、このダイオードを介して前記直流電源部のスイッチング素子の両端間に前記平滑コンデンサが接続されていることを特徴とする請求項１から３のいずれかに記載の放電灯点灯装置。
【請求項５】
前記プリント配線板の長手方向における前記直流電源部内の両端間には、一端から一端にかけて、前記インダクタ、前記スイッチング素子および前記平滑コンデンサの順番にこれら各部品が配置され、前記ダイオードは、前記プリント配線板の短手方向に沿って前記インダクタと並置されていることを特徴とする請求項４記載の放電灯点灯装置。
【請求項６】
前記直流電源部のスイッチング素子は、このリードが前記プリント配線板の長手方向に対して垂直となる状態で、前記プリント配線板に実装されていることを特徴とする請求項４または５記載の放電灯点灯装置。
【請求項７】
前記制御部は、前記インバータ部の第１および第２のスイッチング素子と前記直流電源部のスイッチング素子とをスイッチング制御する一の高耐圧のＩＣを含むことを特徴とする請求項４から６のいずれかに記載の放電灯点灯装置。
【請求項８】
前記平滑コンデンサは横倒しの状態で前記プリント配線板に実装され、その近傍または裏面側に前記ＩＣが実装されていることを特徴とする請求項７記載の放電灯点灯装置。
【請求項９】
前記制御部は、外付けの第１および第２のコンデンサと、外付けの抵抗とをさらに含み、前記ＩＣは、前記第１のコンデンサとともに電源投入からのシーケンス時間を決定するタイマ回路を構成するほか、前記第２のコンデンサおよび前記外付けの抵抗とともにスイッチング周波数を決定する発振回路を構成し、前記第１および第２コンデンサのグランド側の接続点と、前記外付けの抵抗のグランド側の接続点とが前記ＩＣの下方に配線されるグランドで接続されていることを特徴とする請求項７または８記載の放電灯点灯装置。
【発明の詳細な説明】
【０００１】
【発明の属する技術分野】
本発明は、商用電源の交流電力を直流電力に変換し、この直流電力を高周波電力に変換して放電灯に供給することでこれを点灯する放電灯点灯装置に関するものである。
【０００２】
【従来の技術】
近年、商用電源からの入力高調波電流成分を抑制することができる放電灯点灯装置が各種用いられている。
【０００３】
図７に従来の放電灯点灯装置の構成図を示す。この放電灯点灯装置は、商用電源ＡＣの交流電力を直流電力に変換し、この直流電力を高周波電力に変換して放電灯ＦＬに供給することでこれを点灯するものであり、整流部１と、直流電源部２と、インバータ部３と、制御部４と、出力部５とを備えている。
【０００４】
整流部１は、整流器ＤＢにより構成され、商用電源ＡＣの交流電圧を脈流電圧に全波整流するものである。
【０００５】
直流電源部２は、インダクタＬ１と、このインダクタＬ１を介して整流器ＤＢの両出力端子間に接続されるスイッチング素子Ｑ１と、逆流阻止用のダイオードＤ１と、このダイオードＤ１を介してスイッチング素子（例えばバイポーラトランジスタやＦＥＴなど）Ｑ１の両端子間に接続される平滑コンデンサＣ１とにより構成されるいわゆるフライバックタイプのＤＣ−ＤＣコンバータ（チョッパ）であり、整流部１から脈流電圧を受けて直流電力を次段のインバータ部３に供給する。
【０００６】
インバータ部３は、直流電源部２の出力となる平滑コンデンサＣ１の両端間に直列に接続されたスイッチング素子（例えば逆並列接続の寄生ダイオードを持つＦＥＴなど）Ｑ２，Ｑ３により構成され、直流電源部２から供給される直流電力を高周波電力に変換するためのものである。
【０００７】
制御部４は、平滑コンデンサＣ１の両端電圧をランプ電圧として検出するための分圧回路を構成する抵抗Ｒ１，Ｒ２と、チョッパ制御部４１と、インバータ制御部４２とにより構成されている。チョッパ制御部４１は、抵抗Ｒ１，Ｒ２により検出される電圧が平滑コンデンサＣ１の両端電圧を所定の電圧にするための電圧になるように、スイッチング素子Ｑ１を高周波でスイッチング制御するものである。インバータ制御部４２は、スイッチング素子Ｑ２，Ｑ３をスイッチング制御（交互にオン，オフ制御）するものである。
【０００８】
出力部５は、インバータ部３の出力と負荷としての放電灯ＦＬと間に介設される。ここで、図７の例では、放電灯ＦＬが一対のフィラメントＦ１，Ｆ２を有する蛍光灯になっており、フィラメントＦ１，Ｆ２の各一端がスイッチング素子Ｑ３の各端子に接続されている。そして、出力部５は、フィラメントＦ１，Ｆ２の各他端間に接続される共振用のコンデンサＣ２と、スイッチング素子Ｑ２，Ｑ３の接続点と一方のフィラメントＦ１の一端との間にそれぞれが直列に介設されるコンデンサ（カップリングコンデンサ）Ｃ３および共振用のインダクタＬ２とにより構成されている。
【０００９】
次に上記放電灯点灯装置の動作について説明すると、商用電源ＡＣの交流電圧は、整流部１で直流電圧に整流される。
【００１０】
この直流電圧は、直流電源部２においてチョッパ制御部４１のスイッチング制御により所定の電圧レベルに調整される。すなわち、スイッチング素子Ｑ１がオンになると、整流器ＤＢからインダクタＬ１に電流が流れてインダクタＬ１にエネルギーが蓄積される。そして、スイッチング素子Ｑ１がオフになると、インダクタＬ１に蓄積されたエネルギーが、整流器ＤＢから平滑コンデンサＣ１に供給される直流電力に重畳し、平滑コンデンサＣ１が充電される。別言すると、整流器ＤＢから平滑コンデンサＣ１に印加する電圧が昇圧し、その昇圧した電圧が平滑コンデンサＣ１で平滑されるのである。このような動作をスイッチング素子Ｑ１がチョッパ制御部４１のスイッチング制御に従って繰り返すことにより、平滑コンデンサＣ１の両端電圧が上記所定の電圧レベルに調整される。
【００１１】
所定の電圧レベルに調整された平滑コンデンサＣ１の両端電圧は、インバータ制御部４２のスイッチング制御に従ってスイッチング素子Ｑ２，Ｑ３が動作するインバータ部３に入力し、出力部５に出力することにより、高周波電圧に変換される。このとき、インダクタＬ２およびコンデンサＣ２，Ｃ３を含むＬＣ共振回路構成の出力部５にて高周波の高電圧に昇圧し、これが放電灯ＦＬに印加することで放電灯ＦＬが点灯する。
【００１２】
図８は上記従来の放電灯点灯装置の各構成部をプリント配線板に実装した様子を示す模式図である。
【００１３】
ただし、図８では保護回路部６がさらに実装されている。保護回路部６は、放電灯ＦＬの寿命末期や放電灯ＦＬの接続外れなどを検出するべく放電灯ＦＬの電圧やフィラメントの接続状態を検出し、その検出出力をインバータ制御部４２に入力することにより、インバータ部３を停止するなどして回路素子を保護するものである。
【００１４】
図８において、プリント配線板１００は、細長い矩形状に形成され、プリント配線板１００の長手方向における両端には、商用電源ＡＣと接続するための接続部ＣＮ１と、放電灯ＦＬと接続するための接続部ＣＮ２，ＣＮ３とが実装されている。そして、プリント配線板１００の長手方向における両端間には、一端から一端にかけて、整流部１、直流電源部２、インバータ制御部４２、インバータ部３および出力部５の順番にこれら各部が配置されている。また、チョッパ制御部４１は、プリント配線板１００の短手方向に沿って直流電源部２のスイッチング素子Ｑ１と並置されている。
【００１５】
上記保護回路部６は、インバータ制御部４２に接続されるため、インバータ制御部４２の近傍に配置されるのが望ましく、図８の例では、プリント配線板１００の短手方向に沿ってコンデンサＣ３と並置され、インバータ制御部４２に向けてラインが伸びている。
【００１６】
インバータ部３内のスイッチング素子Ｑ２，Ｑ３は、プリント配線板１００の短手方向に沿って互いに隣り合い、いずれのリードもプリント配線板１００の長手方向に対して平行となる状態で、プリント配線板１００に実装されている。
【００１７】
そして、直流電源部２の高圧側（図７の電圧Ｖｄｃ側）のライン１０１がプリント配線板１００の長手方向に沿って配線されてスイッチング素子Ｑ２の一のリードに接続されている。一方、出力配線を流れる電流に対応する帰還電流が流れるグランドのライン１０２は、整流器ＤＢの負極性出力端子から接続部ＣＮ３にかけて配線されている。
【００１８】
このような構成によれば、非常に小型の放電灯点灯装置を提供することが可能となる。
【００１９】
【発明が解決しようとする課題】
しかしながら、図８に示すように、細長いプリント配線板１００の短手方向に沿ってスイッチング素子Ｑ２，Ｑ３を並置する配置構造のものでは、保護回路部６をインバータ制御部４２に接続するためのライン１０３を、一方のスイッチング素子Ｑ３のリードの外側における狭い幅Ｗ１の配線スペース内に通さなければならなかった。また、スイッチング素子Ｑ３のリードと向かい合うために保護回路部６の部品の実装スペースが狭くなり、その実装スペースを十分に確保するには、プリント配線板１００を長手方向に長くせざるを得なかった。このため、放電灯点灯装置をさらに小型にすることができなかった。
【００２０】
本発明は、上記事情に鑑みてなされたものであり、細長いプリント配線板の短手方向に沿ってインバータ部の各スイッチング素子を並置する配置構造のものでも、さらに小型化が可能となる放電灯点灯装置を提供することを目的とする。
【００２１】
【課題を解決するための手段】
上記課題を解決するための請求項１記載の発明は、整流器を含み商用電源を全波整流する整流部と、平滑コンデンサを含み前記整流部から脈流電圧を受けて直流電力を供給する直流電源部と、直列に接続された第１および第２のスイッチング素子を含み前記直流電源部から供給される直流電力を高周波電力に変換するためのインバータ部と、少なくとも前記第１および第２のスイッチング素子をスイッチング制御する制御部と、前記インバータ部と負荷との間に介設される出力部とを細長いプリント配線板に搭載し、前記出力部からの配線が前記プリント配線板の長手方向の一端から得られる放電灯点灯装置であって、前記第１および第２のスイッチング素子は、前記プリント配線板の短手方向に沿って互いに隣り合い、第１のスイッチング素子のリードが前記プリント配線板の長手方向に対して平行となり、そして前記第２のスイッチング素子のリードが前記プリント配線板の長手方向に対して垂直となって前記第１のスイッチング素子のリードの側を向く状態で、前記プリント配線板に実装されていることを特徴とする。
【００２２】
請求項２記載の発明は、請求項１記載の放電灯点灯装置において、前記第１のスイッチング素子は、前記インバータ部の高圧側のスイッチング素子であり、前記第２のスイッチング素子は、前記インバータ部の低圧側のスイッチング素子であることを特徴とする。
【００２３】
請求項３記載の発明は、請求項１または２記載の放電灯点灯装置において、前記プリント配線板の長手方向における両端間には、一端から一端にかけて、前記整流部、前記直流電源部、前記制御部、前記インバータ部および前記出力部の順番にこれら各部が配置されていることを特徴とする。
【００２４】
請求項４記載の発明は、請求項１から３のいずれかに記載の放電灯点灯装置において、前記直流電源部は、直列に接続されたインダクタおよびスイッチング素子と、逆流阻止用のダイオードとをさらに含み、このダイオードを介して前記直流電源部のスイッチング素子の両端間に前記平滑コンデンサが接続されていることを特徴とする。
【００２５】
請求項５記載の発明は、請求項４記載の放電灯点灯装置において、前記プリント配線板の長手方向における前記直流電源部内の両端間には、一端から一端にかけて、前記インダクタ、前記スイッチング素子および前記平滑コンデンサの順番にこれら各部品が配置され、前記ダイオードは、前記プリント配線板の短手方向に沿って前記インダクタと並置されていることを特徴とする。
【００２６】
請求項６記載の発明は、請求項４または５記載の放電灯点灯装置において、前記直流電源部のスイッチング素子は、このリードが前記プリント配線板の長手方向に対して垂直となる状態で、前記プリント配線板に実装されていることを特徴とする。
【００２７】
請求項７記載の発明は、請求項４から６のいずれかに記載の放電灯点灯装置において、前記制御部は、前記インバータ部の第１および第２のスイッチング素子と前記直流電源部のスイッチング素子とをスイッチング制御する一の高耐圧のＩＣを含むことを特徴とする。
【００２８】
請求項８記載の発明は、請求項７記載の放電灯点灯装置において、前記平滑コンデンサは横倒しの状態で前記プリント配線板に実装され、その近傍または裏面側に前記ＩＣが実装されていることを特徴とする。
【００２９】
請求項９記載の発明は、請求項７または８記載の放電灯点灯装置において、前記制御部は、外付けの第１および第２のコンデンサと、外付けの抵抗とをさらに含み、前記ＩＣは、前記第１のコンデンサとともに電源投入からのシーケンス時間を決定するタイマ回路を構成するほか、前記第２のコンデンサおよび前記外付けの抵抗とともにスイッチング周波数を決定する発振回路を構成し、前記第１および第２コンデンサのグランド側の接続点と、前記外付けの抵抗のグランド側の接続点とが前記ＩＣの下方に配線されるグランドで接続されていることを特徴とする。
【００３０】
【発明の実施の形態】
（第１実施形態）
図１は本発明に係る第１実施形態の放電灯点灯装置の各構成部をプリント配線板に実装した様子を示す模式図である。
【００３１】
第１実施形態の放電灯点灯装置は、回路的には図７，図８に示した従来の放電灯点灯装置と同様に構成される。すなわち、整流器ＤＢを含み商用電源ＡＣを全波整流する整流部１と、スイッチング素子Ｑ１および平滑コンデンサＣ１などを含み整流部１から脈流電圧を受けて直流電力を供給する直流電源部２と、直列に接続されたスイッチング素子Ｑ２，Ｑ３を含み直流電源部２から供給される直流電力を高周波電力に変換するためのインバータ部３と、スイッチング素子Ｑ１をスイッチング制御するチョッパ制御部４１およびスイッチング素子Ｑ２，Ｑ３をスイッチング制御するインバータ制御部４２などを含む制御部４と、インダクタＬ２およびコンデンサＣ２，Ｃ３を含みインバータ部３と負荷としての放電灯ＦＬとの間に介設される出力部５と、回路素子を保護する保護回路部６とにより構成される。
【００３２】
これらの各部は、図１に示すように、プリント配線板１００Ａに実装され、その長手方向における両端間には、一端から一端にかけて、整流部１、直流電源部２、インバータ制御部４２、インバータ部３および出力部５の順番にこれら各部が配置される。チョッパ制御部４１は、プリント配線板１００Ａの短手方向に沿って直流電源部２のスイッチング素子Ｑ１と並置され、保護回路部６は、プリント配線板１００Ａの短手方向に沿ってコンデンサＣ３と並置される。そして、インバータ部３内のスイッチング素子Ｑ２，Ｑ３は、プリント配線板１００Ａの短手方向に沿って互いに隣り合う状態で、プリント配線板１００Ａに実装され、スイッチング素子Ｑ２は、直流電源部２の高圧側（図７の電圧Ｖｄｃ側）のライン１０１と接続される一方、スイッチング素子Ｑ３は、低圧側となるグランドのライン１０２と接続される。
【００３３】
このような配置は、図８に示した従来の放電灯点灯装置と同様であるが、第１実施形態では、スイッチング素子Ｑ２，Ｑ３は、スイッチング素子Ｑ２のリードがプリント配線板１００Ａの長手方向に対して平行となり、そして上記従来の放電灯点灯装置との相違点として、スイッチング素子Ｑ３のリードがプリント配線板１００Ａの長手方向に対して垂直となってスイッチング素子Ｑ２のリードの側を向く状態で、プリント配線板１００Ａに実装される。
【００３４】
このようにスイッチング素子Ｑ２，Ｑ３を配置することにより、保護回路部６をインバータ制御部４２に接続するためのライン１０３Ａを、一方のスイッチング素子Ｑ３のリードの外側における広い幅Ｗ２の配線スペース内に通すことができる。また、スイッチング素子Ｑ３のリードがスイッチング素子Ｑ２のリードの側を向くので、保護回路部６の部品の実装スペースが広くなり、プリント配線板１００Ａを長手方向に長くする必要がなくなり、放電灯点灯装置をさらに小型にすることができるようになった。
【００３５】
さらに、スイッチング素子Ｑ２，Ｑ３の両パッケージが互いに隣り合わない配置となるため、スイッチング素子Ｑ２，Ｑ３の温度が相乗効果で上昇する度合いを低減することができる。
【００３６】
（第２実施形態）
図２は本発明に係る第２実施形態の放電灯点灯装置の各構成部をプリント配線板に実装した様子を示す模式図、図３は同プリント配線板における制御部および平滑コンデンサの実装の様子を示す図である。
【００３７】
第２実施形態の放電灯点灯装置は、第１実施形態の放電灯点灯装置との相違点として、第１実施形態の制御部４に代えて、チョッパ制御部４１およびインバータ制御部４２を一体に構成した高耐圧のＩＣ４０を含む制御部４Ａを備える。
【００３８】
そして、放電灯点灯装置を構成する各部は、図２，図３に示すように、プリント配線板１００Ｂに実装され、その長手方向における両端間には、一端から一端にかけて、整流部１、直流電源部２、制御部４Ａ、インバータ部３および出力部５の順番にこれら各部が配置され、保護回路部６は、第１実施形態と同様に、プリント配線板１００Ｂの短手方向に沿ってコンデンサＣ３と並置される。
【００３９】
つまり、第２実施形態では、第１実施形態の配置とは異なり、チョッパ制御部４１およびインバータ制御部４２を一体に構成したＩＣ４０を含む制御部４Ａが直流電源部２とインバータ部３との間に配置されるのである。そして、制御部４ＡのＩＣ４０はプリント配線板１００Ｂの裏面側に実装され、直流電源部２の平滑コンデンサＣ１はＩＣ４０側へ横倒しの状態でプリント配線板１００Ｂの正面側（スルーホールにリードが挿入される通常部品実装側）に実装される。また、直流電源部２において、スイッチング素子Ｑ１は、このリードがプリント配線板１００Ｂの長手方向に対して垂直となる状態で、プリント配線板１００Ｂに実装され、ダイオードＤ１は、プリント配線板１００Ｂの短手方向に沿ってインダクタＬ１と並置される。
【００４０】
このようにチョッパ制御部４１およびインバータ制御部４２を一体に構成したＩＣ４０を使用することにより、制御部４Ａ自体の実装範囲を縮小することができるとともに、直流電源部２の実装範囲を縮小することができ、放電灯点灯装置のさらなる小型化が可能となる。また、制御部４Ａの部品点数を削減することができる。さらに、平滑コンデンサＣ１を横倒しの状態でプリント配線板１００Ｂに実装することにより、プリント配線板の部品の高さ方向の寸法を小さくすることができ、放電灯点灯装置の薄型化も可能となる。
【００４１】
なお、図３の例では、制御部４ＡのＩＣ４０は、プリント配線板１００Ｂの裏面側に実装されているが、これに限らず、プリント配線板１００Ｂの正面側に実装される構成でもよい。
【００４２】
（第３実施形態）
図４は本発明に係る第３実施形態の放電灯点灯装置の構成図、図５は同放電灯点灯装置の制御部の実装の様子を示す破断図である。
【００４３】
第３実施形態の放電灯点灯装置は、第２実施形態の制御部４Ａに代えて、図４に示すように、チョッパ制御部４１およびインバータ制御部４２を一体に構成した高耐圧のＩＣ４０と、抵抗Ｒ１，Ｒ２と、外付けのコンデンサＣ４，Ｃ５と、外付けの抵抗Ｒ３とを含む制御部４Ｂを備える。
【００４４】
第３実施形態のＩＣ４０は、コンデンサＣ４とともに電源投入からのシーケンス時間を決定するタイマ回路を構成するほか、コンデンサＣ５および抵抗Ｒ３とともにインバータ部３のスイッチング周波数を決定する発振回路を構成し、図５に示すように、プリント配線板１００Ｃにおいて、コンデンサＣ４，Ｃ５のグランド側の接続点と、抵抗Ｒ３のグランド側の接続点とがＩＣ４０の下方に配線されるグランドで接続される。また、ＩＣ４０は、電源起動時に駆動を開始する電源起動回路を有する。ＩＣ４０のＡ端子は、図４に示すように、直流電源部２の高圧側の出力端子と直接接続されている。
【００４５】
このように、コンデンサＣ４のグランドとコンデンサＣ５のグランドとを接続した配線を、ＩＣ４０の下方にその動作電位を安定させる目的で幅広く配線されたグランド配線を介して、抵抗Ｒ３のグランドと接続することにより、上記発振回路で発生するスイッチングノイズの影響を受けやすい抵抗Ｒ３に流れる放電電流が、低インピーダンスの上記幅広く配線されたグランド配線を流れることになるため、スイッチングノイズをはじめとする輻射ノイズに対する耐量（性）を大幅に向上させることができる。
【００４６】
（第４実施形態）
図６は本発明に係る第４実施形態の放電灯点灯装置のプリント配線板に実装されたＩＣの一部拡大図である。
【００４７】
第４実施形態の放電灯点灯装置は、第３実施形態との相違点として、制御部４Ｂに含まれるＩＣ４０に対するプリント配線板１００Ｄのランドの形状（寸法）が図６に示すような形状に設定されている。
【００４８】
図６において、ＩＣ４０の０．４ｍｍ幅の各端子のうちＦ，Ｇ端子は、図４に示したＡ端子に隣接する端子である。それらＦ，Ｇ端子は、Ａ端子が直流電源部２の高圧側の出力端子に直接接続されるため、Ａ端子に対して絶縁距離を確保する必要がある。このため、Ａ端子−Ｆ端子間およびＡ端子−Ｇ端子間の各ピッチは、他の隣接する端子間のピッチよりも広めの２．６ｍｍに設定される。
【００４９】
しかし、このように端子のピッチを設定した場合に、図６に示す矢印の方向を半田槽流し方向としたとき、Ａ端子近傍のリードピンで半田ブリッジが発生しやすくなる。
【００５０】
そこで、第４実施形態では、端子Ｇ，Ａのランド１１１，１１２の形状をそれぞれ幅１．７ｍｍ×長さ２．７ｍｍ，幅１．７ｍｍ×長さ２．２ｍｍに設定し、Ｆ端子を含む他の端子のランド１１０の形状を幅０．５ｍｍ×長さ２．２ｍｍに設定する。このようにランドの形状を設定すれば、半田ブリッジの発生をなくすことができる。なお、隣接するランド１１０間は０．６ｍｍに設定される。
【００５１】
【発明の効果】
以上のことから明らかなように、請求項１記載の発明は、整流器を含み商用電源を全波整流する整流部と、平滑コンデンサを含み前記整流部から脈流電圧を受けて直流電力を供給する直流電源部と、直列に接続された第１および第２のスイッチング素子を含み前記直流電源部から供給される直流電力を高周波電力に変換するためのインバータ部と、少なくとも前記第１および第２のスイッチング素子をスイッチング制御する制御部と、前記インバータ部と負荷との間に介設される出力部とを細長いプリント配線板に搭載し、前記出力部からの配線が前記プリント配線板の長手方向の一端から得られる放電灯点灯装置であって、前記第１および第２のスイッチング素子は、前記プリント配線板の短手方向に沿って互いに隣り合い、第１のスイッチング素子のリードが前記プリント配線板の長手方向に対して平行となり、そして前記第２のスイッチング素子のリードが前記プリント配線板の長手方向に対して垂直となって前記第１のスイッチング素子のリードの側を向く状態で、前記プリント配線板に実装されているので、第２のスイッチング素子のリードの外側における配線スペースが広くなり、例えば、インバータ部に対して出力部寄りに保護回路部を実装する場合に、保護回路部から制御部へのラインを上記広くなった配線スペース内に通すことができる。また、第２のスイッチング素子のリードが第１のスイッチング素子のリードの側を向くので、保護回路部の部品の実装スペースが広くなり、プリント配線板を長手方向に長くする必要がなくなり、放電灯点灯装置をさらに小型にすることができる。これにより、細長いプリント配線板の短手方向に沿ってインバータ部の各スイッチング素子を並置する配置構造のものでも、さらに小型化が可能となる。
【００５２】
請求項２記載の発明は、請求項１記載の放電灯点灯装置において、前記第１のスイッチング素子は、前記インバータ部の高圧側のスイッチング素子であり、前記第２のスイッチング素子は、前記インバータ部の低圧側のスイッチング素子であり、この場合も、細長いプリント配線板の短手方向に沿ってインバータ部の各スイッチング素子を並置する配置構造のものでも、さらに小型化が可能となる。
【００５３】
請求項３記載の発明は、請求項１または２記載の放電灯点灯装置において、前記プリント配線板の長手方向における両端間には、一端から一端にかけて、前記整流部、前記直流電源部、前記制御部、前記インバータ部および前記出力部の順番にこれら各部が配置されているので、各部間のラインの引き回しを短くすることができる。
【００５４】
請求項４記載の発明は、請求項１から３のいずれかに記載の放電灯点灯装置において、前記直流電源部は、直列に接続されたインダクタおよびスイッチング素子と、逆流阻止用のダイオードとをさらに含み、このダイオードを介して前記直流電源部のスイッチング素子の両端間に前記平滑コンデンサが接続されているので、入力電流歪を改善することができる。
【００５５】
請求項５記載の発明は、請求項４記載の放電灯点灯装置において、前記プリント配線板の長手方向における前記直流電源部内の両端間には、一端から一端にかけて、前記インダクタ、前記スイッチング素子および前記平滑コンデンサの順番にこれら各部品が配置され、前記ダイオードは、前記プリント配線板の短手方向に沿って前記インダクタと並置されているので、直流電源部内のラインの引き回しを短くすることができるとともに、プリント配線板の長手方向に対する直流電源部の寸法を短くすることができる。
【００５６】
請求項６記載の発明は、請求項４または５記載の放電灯点灯装置において、前記直流電源部のスイッチング素子は、このリードが前記プリント配線板の長手方向に対して垂直となる状態で、前記プリント配線板に実装されているので、プリント配線板の長手方向に対する直流電源部の寸法をより短くすることができる。
【００５７】
請求項７記載の発明は、請求項４から６のいずれかに記載の放電灯点灯装置において、前記制御部は、前記インバータ部の第１および第２のスイッチング素子と前記直流電源部のスイッチング素子とをスイッチング制御する一の高耐圧のＩＣを含むので、より一層の小型化が可能となるほか、部品点数の削減が可能となる。
【００５８】
請求項８記載の発明は、請求項７記載の放電灯点灯装置において、前記平滑コンデンサは横倒しの状態で前記プリント配線板に実装され、その近傍または裏面側に前記ＩＣが実装されているので、プリント配線板の部品の高さ方向の寸法を小さくすることができ、放電灯点灯装置の薄型化も可能となる。
【００５９】
請求項９記載の発明は、請求項７または８記載の放電灯点灯装置において、前記制御部は、外付けの第１および第２のコンデンサと、外付けの抵抗とをさらに含み、前記ＩＣは、前記第１のコンデンサとともに電源投入からのシーケンス時間を決定するタイマ回路を構成するほか、前記第２のコンデンサおよび前記外付けの抵抗とともにスイッチング周波数を決定する発振回路を構成し、前記第１および第２コンデンサのグランド側の接続点と、前記外付けの抵抗のグランド側の接続点とが前記ＩＣの下方に配線されるグランドで接続されているので、例えばＩＣの下方に配線されるグランドがＩＣの動作電位を安定させる目的で幅広く配線されたグランド配線によるものである場合、発振回路で発生するスイッチングノイズの影響を受けやすい上記抵抗に流れる放電電流が、低インピーダンスの幅広く配線されたグランド配線を流れることになるため、スイッチングノイズをはじめとする輻射ノイズに対する耐性を大幅に向上させることができる。
【図面の簡単な説明】
【図１】本発明に係る第１実施形態の放電灯点灯装置の各構成部をプリント配線板に実装した様子を示す模式図である。
【図２】本発明に係る第２実施形態の放電灯点灯装置の各構成部をプリント配線板に実装した様子を示す模式図である。
【図３】同プリント配線板における制御部および平滑コンデンサの実装の様子を示す図である。
【図４】本発明に係る第３実施形態の放電灯点灯装置の構成図である。
【図５】同放電灯点灯装置の制御部の実装の様子を示す破断図である。
【図６】本発明に係る第４実施形態の放電灯点灯装置のプリント配線板に実装されたＩＣの一部拡大図である。
【図７】従来の放電灯点灯装置の構成図である。
【図８】上記従来の放電灯点灯装置の各構成部をプリント配線板に実装した様子を示す模式図である。
【符号の説明】
１　整流部
２　直流電源部
３　インバータ部
４，４Ａ，４Ｂ　制御部
４０　ＩＣ
４１　チョッパ制御部
４２　インバータ制御部
５　出力部
６　保護回路部
１００Ａ，１００Ｂ，１００Ｃ，１００Ｄ　プリント配線板
ＡＣ　商用電源
ＤＢ　整流器
Ｑ１〜Ｑ３　スイッチング素子
Ｃ１　平滑コンデンサ
【図１】
2004022311.tif 000003
【図２】
2004022311.tif 000004
【図３】
2004022311.tif 000005
【図４】
2004022311.tif 000006
【図５】
2004022311.tif 000007
【図６】
2004022311.tif 000008
【図７】
2004022311.tif 000009
【図８】
2004022311.tif 000010